(57)【要約】      （修正有）【課題】発光と発声機能を有するスマート発声カーペットを提供する。【解決手段】カーペット本体１と、音声再生チップ、記憶チップ、電力チップ、スピーカ、回路制御部品、音声転送ポート、無線通信モジュール、発光体インタフェース及び電源を含む音声デッキ３と、カーペット本体に固定され、押圧型結線端子４により音声デッキにつながれる発光体２と、を備える。音声再生チップは、記憶チップから音声を呼び出し、スピーカを駆動する。回路制御部品は、音声再生チップに合わせて、音声デッキの回路スイッチに対してスマート及び／又はトリガー制御を達成させる。無線通信モジュールは、音声再生チップに合わせて、音声デッキに対する無線制御を達成させる。音声転送ポートは、音声をダウンロードして記憶チップに転送する。発光体インタフェースは発光体に接続される。電源は、音声デッキ及び発光体に給電し、発光体の給電は音声デッキにより制御される。【選択図】図４
0003231152.tif 000002
【実用新案登録請求の範囲】
【請求項１】
カーペット本体と、音声再生チップ、記憶チップ、電力チップ、スピーカ、回路制御部
品、音声転送ポート、無線通信モジュール、発光体インタフェース及び電源を含む音声デ
ッキと、カーペット本体に固定され、押圧型結線端子によって音声デッキに電気的に接続
される発光体と、を備えるスマート発声カーペットにおいて、
前記音声再生チップは、記憶チップから音声を呼び出してから、スピーカが発音するよ
うに駆動するまで、電力チップによって拡大し、前記回路制御部品は、音声再生チップに
合わせて、音声デッキの回路スイッチに対するスマート及び／又はトリガー制御を達成さ
せ、前記無線通信モジュールは、音声再生チップに合わせて、音声デッキに対する無線制
御を達成させ、前記音声転送ポートは、音声をダウンロードして記憶チップに転送するこ
とに用いられ、前記発光体インタフェースは、カーペット本体における発光体に接続され
ることに用いられ、前記電源は、音声デッキ及び発光体への給電に対応することに用いら
れ、前記発光体の給電が前記音声デッキにより制御されることを特徴とするスマート発声
カーペット。
【請求項２】
前記回路制御部品は、押圧型スイッチ、プッシュプル型スイッチ、マグネットスイッチ
、ボールスイッチ（振動スイッチ）、感知スイッチ、遅延スイッチ及びデジタルスマート
焦電型赤外線センサの１種以上であることを特徴とする請求項１に記載のスマート発声カ
ーペット。
【請求項３】
前記回路制御部品は、望ましくはデジタルスマート焦電型赤外線センサであり、デジタ
ルスマート回路制御と人体検知感応素子とを合わせて電磁シールドカバー内に集積させて
、音声デッキ回路に対するスマート制御の作用を持たせることを特徴とする請求項２に記
載のスマート発声カーペット。
【請求項４】
前記音声転送ポートは、ダウンロードされた音声を転送するためのＭｉｃｒｏポートで
あることを特徴とする請求項１に記載のスマート発声カーペット。
【請求項５】
前記発光体は、音声デッキにより制御されて給電され、音声デッキにおけるスピーカが
発音すると、同期的に点灯するが、スピーカの発音が停止すると、同期的に消灯すること
を特徴とする請求項１に記載のスマート発声カーペット。
【請求項６】
前記記憶チップは、望ましくは４Ｍのメモリ配置であることを特徴とする請求項１に記
載のスマート発声カーペット。
【請求項７】
前記スピーカは、望ましくは８オーム０.５Ｗの外磁型スピーカであることを特徴とす
る請求項１に記載のスマート発声カーペット。
【請求項８】
前記電源は、望ましくは３個の単三電池の４.５Ｖ電圧で給電することを特徴とする請
求項１に記載のスマート発声カーペット。
【請求項９】
前記発光体は、望ましくは単一のランプビーズが０.０６ＷであるＬＥＤストリングで
あることを特徴とする請求項１に記載のスマート発声カーペット。
【請求項１０】
前記発光体は、カーペット本体の縁部及び／又は表面層に沿って配置され、且つ発光枠
体及び／又は発光領域を形成することを特徴とする請求項１に記載のスマート発声カーペ
ット。
【請求項１１】
前記音声デッキは、少なくとも、１つの発光体インタフェース及び引き出された導線を
含むことを特徴とする請求項１に記載のスマート発声カーペット。
【請求項１２】
前記引き出された導線端とカーペット本体における発光体の延出部の端部とは、押圧型
結線端子によって電気的接続されることを特徴とする請求項１に記載のスマート発声カー
ペット。
【請求項１３】
前記無線通信モジュールは、望ましくは、リモコンの指令を受信するための無線赤外受
信モジュールであることを特徴とする請求項１に記載のスマート発声カーペット。
【請求項１４】
更に、前記内容に基づいて、スマート発声カーペットがカーペットのベースに適用され
ることもでき、カーペットのベースの素材としてプラスチック材が最も好ましく、カーペ
ットのベースに発光体を配置することで、発光体が光を出力する枠体及び／又は発光領域
として配置されるようにカーペットのベースの境界及び／又は表面層に沿って形成され、
発光体が押圧型結線端子によって音声デッキに電気的に接続され、カーペットのベースの
中心領域に凹溝が設けられ、カーペットを凹溝内に配置することで、カーペットに前記機
能を持たせることも可能である請求項１〜１３の何れか１項に記載のことを特徴とするス
マート発声カーペット。
【請求項１５】
請求項１〜１３の何れか１項に記載のスマート発声カーペットを含むスマート発声カー
ペットに適用される製造方法において、
カーペット本体と、音声再生チップ、記憶チップ、電力チップ、スピーカ、回路制御部
品、音声転送ポート、無線通信接続モジュール、発光体インタフェース及び電源を含む音
声デッキと、カーペット本体に固定され、音声デッキに電気的に接続される発光体と、を
備えるスマート発声カーペットに適用される製造方法において、
前記音声再生チップは、記憶チップから音声を呼び出してから、スピーカが発音するよ
うに駆動するまで、電力チップによって拡大し、前記回路制御部品は、音声デッキのスマ
ート及び／又はトリガースイッチであり、前記無線接続モジュールは、音声デッキの無線
制御スイッチであり、前記発光体は、カーペット本体の縁部及び／又は表面層に沿って配
置され、且つ発光枠体及び／又は発光領域を形成することを特徴とするスマート発声カー
ペットに適用される製造方法。
【請求項１６】
音声デッキに基づいて、前記製造方法における発光体が前記カーペット本体の縁部及び
／又は表面層に沿って配置され、且つ発光枠体及び／又は発光領域を形成する方法による
と、前記方法は、例えば、クッション、シャワーカーテン、カーテン、ドアカーテン、テ
ーブルクロス、カバン、タペストリ、家庭電器用のカバー、ブランケット、ペット用ベッ
ド、布製の絵、レジャーシート、寝袋、ぬいぐるみ及びヘッドボード用のカバー等の布材
で作られた布製品のような、他の布製品に好適に用いられ、必要に応じて、当業者により
他の製品に適用されることができることを特徴とする請求項１５に記載のスマート発声カ
ーペット。
【請求項１７】
更に、前記方法に基づいて、スマート発声カーペットの製造方法はカーペットのベース
に適用されることもでき、カーペットのベースの素材としてプラスチック材が最も好まし
く、カーペットのベースに発光体を配置することで、発光体が光を出力する枠体及び／又
は発光領域として配置されるようにカーペットのベースの境界及び／又は表面層に沿って
形成され、発光体が押圧型結線端子によって音声デッキに電気的に接続され、カーペット
のベースの中心領域に凹溝が設けられ、カーペットを凹溝内に配置することで、カーペッ
トに前記機能を持たせることも可能であることを特徴とする請求項１５に記載のスマート
発声カーペットに適用される製造方法。
【考案の詳細な説明】
【技術分野】
【０００１】
本考案は、スマート家庭用品に関し、特に、スマート発声カーペット及びその製造方法
に関する。
【背景技術】
【０００２】
個別化されたカスタマイズが益々人々に注目され、文字をカーペットに印刷できれば、
更に、カーペットに印刷された文字を音声として発話できるようにすれば、黙って衆人に
踏まれるカーペットは新しい目で見られるようになり、更に、発音すると同時に、発光体
を含むカーペットに発光させ、発音が停止すると発光体に発光を停止させることができれ
ば、黙ったカーペットをより高級にする。
【考案の概要】
【考案が解決しようとする課題】
【０００３】
本考案目的は、発光するとともにスマートに発声することのできるカーペットを提供し
、その同時に、ユーザが必要に応じて如何なる音声に交換してもよく、デジタルスマート
焦電型赤外線センサによって、システムが自動的にカーペットの発光体をオンにすると共
に、クラクションをオンにして、人が来るとクラクションが鳴ると共に、発光体が点灯す
るが、人が去るとクラクションがオフにされると共に、発光体が消灯することを達成させ
ることにある。
【課題を解決するための手段】
【０００４】
上記目的を達成させるために、本考案は、下記の技術案を採用する。
【０００５】
カーペット本体と、音声再生チップ、記憶チップ、電力チップ、スピーカ、回路制御部
品、音声転送ポート、無線通信モジュール、発光体インタフェース及び電源を含む音声デ
ッキと、カーペット本体に固定され、押圧型結線端子によって音声デッキに電気的に接続
される発光体と、を備えることを特徴とするスマート発声カーペットである。
【０００６】
更に、前記音声再生チップは、記憶チップから音声を呼び出してから、スピーカが発音
するように駆動するまで、電力チップによって拡大する。前記回路制御部品は、音声再生
チップに合わせて、音声デッキの回路スイッチに対するスマート及び／又はトリガー制御
を達成させる。前記無線通信モジュールは、音声再生チップに合わせて、音声デッキに対
する無線制御を達成させる。前記音声転送ポートは、音声をダウンロードして記憶チップ
に転送することに用いられる。前記発光体インタフェースは、カーペット本体における発
光体に接続されることに用いられる。前記電源は、音声デッキ及び発光体への給電に対応
することに用いられ、前記発光体の給電が前記音声デッキにより制御される。前記回路制
御部品は、押圧型スイッチ、プッシュプル型スイッチ、マグネットスイッチ、ボールスイ
ッチ（振動スイッチ）、感知スイッチ、遅延スイッチ及びデジタルスマート焦電型赤外線
センサの１種以上である。
【０００７】
好ましくは、前記回路制御部品は、望ましくはデジタルスマート焦電型赤外線センサで
あり、デジタルスマート回路制御と人体検知感応素子とを合わせて電磁シールドカバー内
に集積させて、音声デッキ回路に対するスマート制御の作用を持たせる。
【０００８】
上記方法において、前記音声転送ポートは、ダウンロードされた音声を転送するための
Ｍｉｃｒｏポートである。
【０００９】
上記方法において、前記発光体は、音声デッキにより制御されて給電され、音声デッキ
におけるスピーカが発音すると、同期的に点灯するが、スピーカの発音が停止すると、同
期的に消灯する。
【００１０】
上記方法において、前記記憶チップは、望ましくは４Ｍのメモリ配置である。
【００１１】
上記方法において、前記スピーカは、望ましくは８オーム０.５Ｗの外磁型スピーカで
ある。
【００１２】
上記方法において、前記電源は、望ましくは３個の単三電池の４.５Ｖ電圧で給電する
。
【００１３】
上記方法において、前記発光体は、カーペット本体の縁部及び／又は表面層に沿って配
置され、且つ発光枠体及び／又は発光領域を形成する。
【００１４】
上記方法において、前記音声デッキは、少なくとも、１つの発光体インタフェース及び
引き出された導線を含む。
【００１５】
上記方法において、前記引き出された導線端とカーペット本体における発光体の延出部
の端部とは、押圧型結線端子によって接続される。
【００１６】
上記方法において、前記無線通信モジュールは、望ましくは、リモコンの指令を受信す
るための無線赤外受信モジュールである。
【００１７】
上記方法において、更に、前記内容に基づいて、スマート発声カーペットがカーペット
のベースに適用されることもでき、カーペットのベースの素材としてプラスチック材が最
も好ましく、カーペットのベースに発光体を配置することで、発光体が光を出力する枠体
及び／又は発光領域として配置されるようにカーペットのベースの境界及び／又は表面層
に沿って形成され、発光体が押圧型結線端子によって音声デッキに電気的に接続され、カ
ーペットのベースの中心領域に凹溝が設けられ、カーペットを凹溝内に配置することで、
カーペットに前記機能を持たせることも可能である。
【００１８】
上記目的を達成させるために、本考案の第２の態様によれば、カーペット本体と、音声
再生チップ、記憶チップ、電力チップ、スピーカ、回路制御部品、音声転送ポート、無線
通信接続モジュール、発光体インタフェース及び電源を含む音声デッキと、カーペット本
体に固定され、音声デッキに電気的に接続される発光体と、を備えるスマート発声カーペ
ットの製造方法において、前記音声再生チップは、記憶チップから音声を呼び出してから
、スピーカが発音するように駆動するまで、電力チップによって拡大し、前記回路制御部
品は、音声デッキのスマートスイッチであり、前記無線接続モジュールは、音声デッキの
無線制御スイッチであり、前記発光体は、カーペット本体の縁部及び／又は表面層に沿っ
て配置され、且つ発光枠体及び／又は発光領域を形成することを特徴とするスマート発声
カーペットの製造方法を提供する。
【００１９】
更に、音声デッキに基づいて、前記製造方法における発光体が前記カーペット本体の縁
部及び／又は表面層に沿って配置され、且つ発光枠体及び／又は発光領域を形成する方法
によると、前記方法は、例えば、クッション、シャワーカーテン、カーテン、ドアカーテ
ン、テーブルクロス、カバン、タペストリ、家庭電器用のカバー、ブランケット、ペット
用ベッド、布製の絵、レジャーシート、寝袋、ぬいぐるみ及びヘッドボード用のカバー等
の布材で作られた布製品のような、他の布製品に適用されることもでき、必要に応じて、
当業者により他の製品に適用されることができる。
【００２０】
更に、前記方法に基づいて、スマート発声カーペット製造方法がカーペットのベースに
適用されることもでき、カーペットのベースの素材としてプラスチック材が最も好ましく
、カーペットのベースに発光体を配置することで、発光体が光を出力する枠体及び／又は
発光領域として配置されるようにカーペットのベースの境界及び／又は表面層に沿って形
成され、発光体が押圧型結線端子によって音声デッキに電気的に接続され、カーペットの
ベースの中心領域に凹溝が設けられ、カーペットを凹溝内に配置することで、カーペット
に前記機能を持たせることも可能である。
【考案の効果】
【００２１】
１、発光するとともにスマートに発声することができ、デジタルスマート焦電型赤外線
センサによって、システムが自動的にカーペットの発光体をオンにすると共に、クラクシ
ョンをオンにして、人が来るとクラクションが鳴ると共に、発光体が点灯するが、人が去
るとクラクションがオフにされると共に、発光体が消灯することを達成させる。２、設備
に音声転送ポートがあり、ユーザは、必要に応じて、自分で如何なる音声に交換してもよ
い。３、設備に無線通信受信モジュールがあり、ユーザは、スイッチに対する無線制御、
曲戻し・曲送り及び音量増減をすることができる。
【図面の簡単な説明】
【００２２】
【図１】本考案におけるカーペット本体と発光体の分解図である。
【図２】本考案におけるカーペット本体と発光体との組合図である。
【図３】本考案の音声デッキの主なハードウェアの原理のブロック図である。
【図４】本考案の全体構成図である。
【考案を実施するための形態】
【００２３】
以下、具体的実施形態及び添付図面に合わせて、本考案及びその有益効果を更に説明す
る。理解すべきなのは、ここで説明する実施例は単に本考案を説明及び解釈するためのも
のであるが、本考案を限定するものではない。
【００２４】
実施例１
【００２５】
本実施例は、カーペット本体と、音声再生チップ、記憶チップ、電力チップ、スピーカ
、回路制御部品、音声転送ポート、無線通信モジュール、発光体インタフェース及び電源
を含む音声デッキと、カーペット本体に固定され、押圧型結線端子によって音声デッキに
電気的に接続される発光体と、を備えるスマート発声カーペットを提供する。
【００２６】
更に、音声再生チップは、記憶チップから音声を呼び出してから、スピーカが発音する
ように駆動するまで、電力チップによって拡大する。前記回路制御部品は、音声再生チッ
プに合わせて、音声デッキの回路スイッチに対するスマート及び／又はトリガー制御を達
成させる。前記無線通信モジュールは、音声再生チップに合わせて、音声デッキに対する
無線制御を達成させる。前記音声転送ポートは、音声をダウンロードして記憶チップに転
送することに用いられる。前記発光体インタフェースは、カーペット本体における発光体
に接続されることに用いられる。前記電源は、音声デッキ及び発光体への給電に対応する
ことに用いられ、前記発光体の給電が前記音声デッキにより制御される。回路制御部品は
、押圧型スイッチ、プッシュプル型スイッチ、マグネットスイッチ、ボールスイッチ（振
動スイッチ）、感知スイッチ、遅延スイッチ及びデジタルスマート焦電型赤外線センサの
１種以上である。
【００２７】
本実施例において、前記回路制御部品は、デジタルスマート焦電型赤外線センサであり
、デジタルスマート回路制御と人体検知感応素子とを合わせて電磁シールドカバー内の焦
電型赤外線センサに集積させる。人体検知感応素子は感知した人体移動信号を超高抵抗差
動入力回路によってデジタルスマート集積回路チップに結合し、デジタルスマート集積回
路は信号をＡＤＣデジタル信号に変換し、ＰＩＲ信号が特定のデジタル閾値を超えると、
動的出力、及びタイミング時間を有するレベル出力が発生する。
【００２８】
音声デッキは、カーペット本体における発光体に接続されるための少なくとも１つの発
光体インタフェースを含み、発光体は、音声デッキにより制御されて給電され、音声デッ
キにおけるスピーカが発声すると、同期的に発光するが、スピーカの発声が停止すると、
同期的に消灯する。
【００２９】
記憶チップは、望ましくは４Ｍのメモリ配置である。
【００３０】
音声転送ポートは、ダウンロードされた音声を転送するためのＭｉｃｒｏポートである
。
【００３１】
よく用いられるクラクションとしては、内磁型及び外磁型があり、一般的に、内磁型ク
ラクションの後ろには磁石が見られなく、磁石がハウジング内に包み込まれるが、外磁型
クラクションの後ろには黒い磁石のリングが見られ、内磁型の感度が低く、外磁型の感度
が高いので、本実施例において、スピーカは、望ましくは外磁型クラクションであり、具
体的には、８オーム０.５Ｗの外磁型のものであり、日常で人間の発話音声が５０デシベ
ル程度であり、前記クラクションが１０５デシベル程度にもあり、ユーザは、必要に応じ
て、音量増減によって、デシベルの大きさを制御することができる。
【００３２】
電源は、直流電流であり、交流電流−直流電流（ＡＣ−ＤＣ）、直流電流−交流電流及
び交流電流を使用してもよく、本実施例において、直流給電を採用し、具体的には、３個
の単三電池の４.５Ｖ電圧で給電する。
【００３３】
発光体は単一のランプビーズが０.０６ＷであるＬＥＤストリングであり、ＬＥＤスト
リングの配線体としては、エナメル線の形態が採用され、エナメル材自体が防水機能を有
し、カーペット本体に防水層を追加することが省略される。ＬＥＤストリングのランプビ
ーズは、３６０度方向に死角無く発光し、従来の９０度〜１８０度のランプの発光方向と
区別され、カーペット本体においてホットメルト等の形態によって発光体の発光面を上方
に向かせるように固定する工程が省略されると共に、カーペットの表面に、発光体の発光
面を貫通穴に挿通されるための穴を開ける生産工程も更に省略される。ＬＥＤストリング
のランプビーズは小径であり、約２.２ｍｍであるので、ランプを含むカーペット本体に
加工作業を行っても破損することはなく、カーペットのサンドイッチ層における弾性保護
層を選択的に省略することができる。その同時に、ＬＥＤストリングの配線体としてエナ
メル線が採用されるので、用いられるエナメル材が耐高温・耐食性を有し、高温腐食環境
下で溶融して配線体の間の短絡を引き起こしやすい従来のプラスチック被覆線と区別され
るので、ＬＥＤストリングを含むブランクのカーペット本体に対して直接高温・高圧加工
を行うことができ、カスタム化を要求するユーザの出荷時間が節約される。配線体の被覆
色としては銅色／銀色があるが（カスタマイズ可能）、カーペットブランク本体の色とよ
り良くなじむように、淡色系の銀色は最も好ましい。線径が小さく、約０.４ｍｍであり
、曲がりやすく、柔軟度が高く、任意の形状に適する。ランプビーズのピッチとしては、
１０ｃｍが最も好ましい。エレクトロルミネッセンス発光体が４.５Ｖ／１２Ｖ又は２４
Ｖの電圧に対応することができ、本実施例において、４.５ＶのＬＥＤストリングに合わ
せて４.５Ｖの電源を採用する。
【００３４】
発光体は、カーペット本体の縁部及び／又は表面層に沿って配置され、且つ発光枠体及
び／又は発光領域を形成し、カーペット本体とＬＥＤストリングとの間の固定としては、
縁取り部の縫いや、かがり縫い及びバインドオフの１種以上の方法によってＬＥＤストリ
ングをカーペット本体の縁部に囲ませ、前記実施例において、縁取り部の形態を採用する
。具体的な方法としては、ミシンに縁取り筒を装着すると共に、縁取り作業を行う場合、
ＬＥＤストリングの一端を縁取りストリップに位置合わせて、縁取りストリップとＬＥＤ
ストリングとがミシンにおける縁取り筒によって合わせて、カーペット本体の縁部に縁取
り部を付ける。カーペットの表面にＬＥＤストリングの光を効果的に貫通させるための孔
を設けることが省略されるという点で有益である。この方法は、取扱いやすく、専門家を
必要としなく、従来技術のように布製品本体の表面層に貫通穴を形成したり、カーペット
のサンドイッチ層において防水保護層及び弾性層によって発光体を保護したりすることは
ないと共に、接着剤で発光体を貼り付けて固定させる工程も省略され、布製品本体及びエ
レクトロルミネッセンス発光体に対する固定を達成させるには複数の工程を行わなければ
ならず、手間がかかる工程も省略される。かがり縫い及びバインドオフは、外付けツール
を利用する必要はなく、純正の対応機種のミシンによって縁取り部の方法と同じように操
作すればよいが、所要時間が長いという欠点がある。ＬＥＤストリングとカーペット本体
との固接としては、縁取り部を縫う方法で処理し、カーペットの発光機能を増加したが、
大部分のカーペット自体の加工にもそのカーペットの縁部のバリに対して縁取りの形成、
かがり縫い又はバインドオフ処理を行う必要があるため、機能の増加により生産時間もそ
れに伴って増加することはほとんどない。
【００３５】
同様に、ＬＥＤストリングは、顧客の要求に応じて、任意の形状となるように、カーペ
ット本体の表面層の下方に配置されてもよく、採用されるＬＥＤストリングの線径／ラン
プビーズが小径であり、また防水・耐圧で曲がりやすい機能を有し、ランプビーズがまた
３６０度に発光するので、カーペットのサンドイッチ層に防水層及び弾性保護層を設けな
くてもよく、ランプビーズ自体が３６０度に発光するので、接着剤によって発光体をラン
プビーズの発光面が上向きになるように固定させる必要もなく、９０度〜１８０度に発光
するため発光面が上向きになるように固定させなければならない従来のものと区別される
。
【００３６】
音声デッキは、少なくとも、１つの発光体インタフェース及び引き出された導線を含む
。
【００３７】
引き出された導線端と発光体の延出部の端部とは、スズ浸漬後、第３の方押圧型結線端
子によって接続され、三者の着脱自在が便利に達成される。押圧型結線端子による接続は
、ユーザがカーペットブランク本体に自分のパータンをカスタム化捺染する必要がある場
合、三者を快速に分離させてから、マシンによってＬＥＤストリングを含むカーペットブ
ランク本体に対して高温・高圧下で捺染作業を行うことができ、捺染終了後、また押圧型
結線端子によって両者を快速に一体に結合することができるという点で有益である。ＬＥ
Ｄストリングの配線体としてエナメル線が採用されるので、用いられるエナメル材が耐高
温・耐食性を有し、高温腐食環境下で溶融して配線体の間の短絡を引き起こしやすい従来
のプラスチック被覆線と区別される。ＬＥＤストリングを含むブランクのカーペット本体
に対して直接高温・高圧加工を行うことができ、カスタム化を要求するユーザの出荷時間
が節約されるという点で有益である。
【００３８】
特に指摘すべきなのは、ユーザから受注する場合、発光体を含んでいないブランクのカ
ーペット本体に対して捺染加工を行ってから、加工作業されたカーペット本体に発光体を
配置してもよいが、このように、捺染加工した後で更に縁取り部を縫って発光体を固定さ
せる必要があり、出荷時間が明らかに増加するが、エナメル線のＬＥＤストリングを採用
すれば、その採用するエナメル材が元々耐高温の性能を有するので、ユーザがカスタマイ
ズされた注文をする前にＬＥＤストリングを前もってブランクのカーペット本体に配置し
てよいので、顧客が発注した後で、更に耐高温のＬＥＤストリングに対して高温捺染作業
を行った後で、押圧型結線端子によって発声デッキにつながれば出荷できるようになり、
いくつかの電子商取引プラットフォームの要求するサービス項目における出荷速度に非常
に有用であり、特に国境を越えた電子商取引プラットフォームに対しては、国外に郵送す
るには長い時間を要するため、この場合、生産プロセスで時間を節約できれば、国境を越
えた電子商取引でのユーザの出荷速度に対する体験の点で非常に好適である。
【００３９】
無線通信接続モジュールは、望ましくは、リモコンの指令を受信するための無線赤外受
信モジュールである。
【００４０】
更に、本実施例は、音声警報及び音声警告にも適用可能である。
【００４１】
実施例２
【００４２】
本実施例は、回路制御用の部品がボールスイッチ（振動スイッチ）であることに、実施
例１と異なり、性能の観点からは、ボールスイッチは、振動を感じる場合に回路をオンに
するようにトリガーし、前記部品が安価であることを特徴とし、製品のスマート的な適用
に欠けるという欠点がある。
【００４３】
上記の実施例は、カーペット、クッション、シャワーカーテン、カーテン、ドアカーテ
ン、テーブルクロス、カバン、タペストリ、家庭電器用のカバー、ブランケット、ペット
用ベッド、布製の絵、レジャーシート、寝袋、ぬいぐるみ及びヘッドボード用のカバー等
の布材で作られた布製品に好適に用いられ、必要に応じて、当業者により他の製品に適用
されることができる。
【００４４】
実施例３
【００４５】
本実施例は、更に、前記内容及び方法に基づいて、スマート発声カーペット及びその製
造方法がカーペットのベースに適用されることもでき、カーペットのベースの素材として
プラスチック材が最も好ましく、カーペットのベースに発光体を配置することで、発光体
が光を出力する枠体及び／又は発光領域として配置されるようにカーペットのベースの境
界及び／又は表面層に沿って形成され、発光体が押圧型結線端子によって音声デッキに電
気的に接続され、カーペットのベースの中心領域に凹溝が設けられ、カーペットを凹溝内
に配置することで、カーペットに前記機能を持たせることも可能であることに実施例１及
び実施例２と異なっている。
【００４６】
説明すべきなのは、当業者が本考案に基づいて加えた改良、置換又は変化であれば、何
れも本考案の保護範囲にある。なお、本明細書にはいくつかの特定の用語が使用されるが
、これらの用語は単に説明しやすくするためのものであり、本考案を限定するものではな
い。
【符号の説明】
【００４７】
１  布製品本体
２  ストリング
３  音声デッキ
４  押圧型結線端子。
１１  布製品本体とエレクトロルミネッセンス発光体により配置された枠体
２１  ランプビーズ
２２  ストリング延出線
３１  音声再生チップ
３２  記憶チップ
３３  電力チップ
３４  スピーカ
３５  発光体インタフェース
３６  音声転送ポート
３７  回路制御部品
３８  無線通信モジュール
３９  電源
【図１】
0003231152.tif 000003
【図２】
0003231152.tif 000004
【図３】
0003231152.tif 000005
【図４】
0003231152.tif 000006
【手続補正書】
【提出日】令和2年12月30日(2020.12.30)
【手続補正１】
【補正対象書類名】実用新案登録請求の範囲
【補正対象項目名】全文
【補正方法】変更
【補正の内容】
【実用新案登録請求の範囲】
【請求項１】
カーペット本体と、音声再生チップ、記憶チップ、電力チップ、スピーカ、回路制御部
品、音声転送ポート、無線通信モジュール、発光体インタフェース及び電源を含む音声デ
ッキと、カーペット本体に固定され、押圧型結線端子によって音声デッキに電気的に接続
される発光体と、を備えるスマート発声カーペットにおいて、
前記音声再生チップは、記憶チップから音声を呼び出してから、スピーカが発音するよ
うに駆動するまで、電力チップによって拡大し、前記回路制御部品は、音声再生チップに
合わせて、音声デッキの回路スイッチに対するスマート及び／又はトリガー制御を達成さ
せ、前記無線通信モジュールは、音声再生チップに合わせて、音声デッキに対する無線制
御を達成させ、前記音声転送ポートは、音声をダウンロードして記憶チップに転送するこ
とに用いられ、前記発光体インタフェースは、カーペット本体における発光体に接続され
ることに用いられ、前記電源は、音声デッキ及び発光体への給電に対応することに用いら
れ、前記発光体の給電が前記音声デッキにより制御されることを特徴とするスマート発声
カーペット。
【請求項２】
前記回路制御部品は、押圧型スイッチ、プッシュプル型スイッチ、マグネットスイッチ
、ボールスイッチ、感知スイッチ、遅延スイッチ及びデジタルスマート焦電型赤外線セン
サの１種以上であることを特徴とする請求項１に記載のスマート発声カーペット。
【請求項３】
前記回路制御部品は、望ましくはデジタルスマート焦電型赤外線センサであり、デジタ
ルスマート回路制御と人体検知感応素子とを合わせて電磁シールドカバー内に集積させて
、音声デッキ回路に対するスマート制御の作用を持たせることを特徴とする請求項２に記
載のスマート発声カーペット。
【請求項４】
前記音声転送ポートは、ダウンロードされた音声を転送するためのＭｉｃｒｏポートで
あることを特徴とする請求項１に記載のスマート発声カーペット。
【請求項５】
前記発光体は、音声デッキにより制御されて給電され、音声デッキにおけるスピーカが
発音すると、同期的に点灯するが、スピーカの発音が停止すると、同期的に消灯すること
を特徴とする請求項１に記載のスマート発声カーペット。
【請求項６】
前記記憶チップは、望ましくは４Ｍのメモリ配置であることを特徴とする請求項１に記
載のスマート発声カーペット。
【請求項７】
前記スピーカは、望ましくは８オーム０.５Ｗの外磁型スピーカであることを特徴とす
る請求項１に記載のスマート発声カーペット。
【請求項８】
前記電源は、望ましくは３個の単三電池の４.５Ｖ電圧で給電することを特徴とする請
求項１に記載のスマート発声カーペット。
【請求項９】
前記発光体は、望ましくは単一のランプビーズが０.０６ＷであるＬＥＤストリングで
あることを特徴とする請求項１に記載のスマート発声カーペット。
【請求項１０】
前記発光体は、カーペット本体の縁部及び／又は表面層に沿って配置され、且つ発光枠
体及び／又は発光領域を形成することを特徴とする請求項１に記載のスマート発声カーペ
ット。
【請求項１１】
前記音声デッキは、少なくとも、１つの発光体インタフェース及び引き出された導線を
含むことを特徴とする請求項１に記載のスマート発声カーペット。
【請求項１２】
前記引き出された導線の端部とカーペット本体における発光体の延出部の端部とは、押
圧型結線端子によって電気的接続されることを特徴とする請求項１１に記載のスマート発
声カーペット。
【請求項１３】
前記無線通信モジュールは、望ましくは、リモコンの指令を受信するための無線赤外受
信モジュールであることを特徴とする請求項１に記載のスマート発声カーペット。
【請求項１４】
請求項１〜１３の何れか１項に記載のスマート発声カーペットを含むスマート発声カー
ペットであって、スマート発声カーペットがカーペットのベースに適用されることもでき
、カーペットのベースの素材としてプラスチック材が最も好ましく、カーペットのベース
に発光体を配置することで、発光体が光を出力する枠体及び／又は発光領域として配置さ
れるようにカーペットのベースの境界及び／又は表面層に沿って形成され、発光体が押圧
型結線端子によって音声デッキに電気的に接続され、カーペットのベースの中心領域に凹
溝が設けられ、カーペットを凹溝内に配置することを特徴とする請求項１〜１３の何れか
１項に記載のスマート発声カーペット。
【請求項１５】
請求項１〜１３の何れか１項に記載のスマート発声カーペットを含むスマート発声カー
ペットであって、
カーペット本体と、音声再生チップ、記憶チップ、電力チップ、スピーカ、回路制御部
品、音声転送ポート、無線通信接続モジュール、発光体インタフェース及び電源を含む音
声デッキと、カーペット本体に固定され、音声デッキに電気的に接続される発光体と、を
備えるスマート発声カーペットにおいて、
前記音声再生チップは、記憶チップから音声を呼び出してから、スピーカが発音するよ
うに駆動するまで、電力チップによって拡大し、前記回路制御部品は、音声デッキのスマ
ート及び／又はトリガースイッチであり、前記無線通信接続モジュールは、音声デッキの
無線制御スイッチであり、前記発光体は、カーペット本体の縁部及び／又は表面層に沿っ
て配置され、且つ発光枠体及び／又は発光領域を形成することを特徴とするスマート発声
カーペット。
【請求項１６】
音声デッキに基づいて、前記発光体が前記カーペット本体の縁部及び／又は表面層に沿
って配置され、且つ発光枠体及び／又は発光領域は、例えば、クッション、シャワーカー
テン、カーテン、ドアカーテン、テーブルクロス、カバン、タペストリ、家庭電器用のカ
バー、ブランケット、ペット用ベッド、布製の絵、レジャーシート、寝袋、ぬいぐるみ及
びヘッドボード用のカバー等の布材で作られた布製品のような、他の布製品に好適に用い
られ、必要に応じて、当業者により他の製品に適用されることができることを特徴とする
請求項１５に記載のスマート発声カーペット。
【請求項１７】
請求項１５に記載のスマート発声カーペットを含むスマート発声カーペットであって、
スマート発声カーペットはカーペットのベースに適用されることもでき、カーペットのベ
ースの素材としてプラスチック材が最も好ましく、カーペットのベースに発光体を配置す
ることで、発光体が光を出力する枠体及び／又は発光領域として配置されるようにカーペ
ットのベースの境界及び／又は表面層に沿って形成され、発光体が押圧型結線端子によっ
て音声デッキに電気的に接続され、カーペットのベースの中心領域に凹溝が設けられ、カ
ーペットを凹溝内に配置することを特徴とする請求項１５に記載のスマート発声カーペッ
ト。